【手続補正書】
【提出日】平成16年3月9日(2004.3.9)
【手続補正１】
【補正対象書類名】明細書
【補正対象項目名】発明の名称
【補正方法】変更
【補正の内容】
【発明の名称】画像形成方法およびシートカートリッジ
【手続補正２】
【補正対象書類名】明細書
【補正対象項目名】特許請求の範囲
【補正方法】変更
【補正の内容】
【特許請求の範囲】
【請求項１】
メディア本体とインク受像シートとを用い、
前記インク受像シートに昇華性染料インクを用いて画像の印刷を行う印刷工程と、前記印刷工程の後、前記インク受像シートの画像形成部分を前記メディア本体の表面に重ね合わせる重合工程と、前記重合工程の後、加熱処理して前記インク受像シートに保持した前記昇華性染料インクを前記メディア本体の表面に拡散・発色させて画像を形成する転写工程と、前記転写工程の後、前記メディア本体から前記インク受像シートを除去するシート除去工程とを備えた画像形成方法であって、
前記インク受像シートは、前記メディア本体に対し大きく形成されていることを特徴とする画像形成方法。
【請求項２】
前記インク受像シートは、ロール状に巻回した状態から繰出されることを特徴とする請求項１に記載の画像形成方法。
【請求項３】
前記インク受像シートには、前記昇華性染料インクの受像面側にこれを保護するセパレータが貼着されており、
前記印刷工程に先立って、前記セパレータを引き剥がす剥離工程を、更に備えたことを特徴とする請求項２に記載の画像形成方法。
【請求項４】
前記メディア本体から除去後の前記インク受像シートを巻き取ることを特徴とする請求項２または３に記載の画像形成方法。
【請求項５】
前記インク受像シートには、前記昇華性染料インクの受像面側とは反対側の面にこれを保護するセパレータが貼着されており、
前記重合工程と前記転写工程との間に、重ね合わせて貼着した前記インク受像シートと共に前記メディア本体を前記セパレータから分離する分離工程を、更に備えたことを特徴とする請求項２に記載の画像形成方法。
【請求項６】
分離後の前記セパレータを巻き取ることを特徴とする請求項５に記載の画像形成方法。
【請求項７】
メディア本体と裏面にセパレータを貼着したインク受像シートとを用い、
前記インク受像シートに昇華性染料インクを用いて画像の印刷を行う印刷工程と、前記印刷工程の後、前記インク受像シートの表面に前記メディア本体を重ね合わせる重合工程と、前記重合工程の後、前記インク受像シートと共に前記メディア本体を前記セパレータから分離する分離工程と、前記分離工程の後、加熱処理して前記インク受像シートに保持した前記昇華性染料インクを前記メディア本体の表面に拡散・発色させて画像を形成する転写工程と、前記転写工程の後、前記メディア本体から前記インク受像シートを除去するシート除去工程とを備えた画像形成方法であって、
前記インク受像シートは、前記メディア本体に対し大きく形成されていることを特徴とする画像形成方法。
【請求項８】
前記インク受像シートは、ロール状に巻回した状態から繰出されることを特徴とする請求項７に記載の画像形成方法。
【請求項９】
分離後の前記セパレータを巻き取ることを特徴とする請求項８に記載の画像形成方法。
【請求項１０】
前記インク受像シートは、加熱することにより易剥離性を発揮する材料で構成されていることを特徴とする請求項５ないし９のいずれかに記載の画像形成方法。
【請求項１１】
前記メディア本体には、前記インク受像シートを重ねる面にフッ素フィルム層が積層されていることを特徴とする請求項１ないし１０のいずれかに記載の画像形成方法。
【請求項１２】
前記メディア本体が、カードであることを特徴とする請求項１ないし１１のいずれかに記載の画像形成方法。
【請求項１３】
前記印刷工程における印刷が、インクジェット方式で行われることを特徴とする請求項１ないし１２のいずれかに記載の画像形成方法。
【請求項１４】
請求項４の画像形成方法に用いられるインク受像シートと、ロール状に巻回した前記インク受像シートを繰出す繰出しリールと、繰出した前記インク受像シートを巻き取るシート巻取りリールと、を単一のカートリッジケースに収容したことを特徴とするシートカートリッジ。
【請求項１５】
請求項６または９の画像形成方法に用いられるインク受像シートと、ロール状に巻回した前記インク受像シートを繰出す繰出しリールと、前記分離工程後の前記セパレータを巻き取るセパレータ巻取りリールと、を単一のカートリッジケースに収容したことを特徴とするシートカートリッジ。
【手続補正３】
【補正対象書類名】明細書
【補正対象項目名】０００１
【補正方法】変更
【補正の内容】
【０００１】
【発明の属する技術分野】
本発明は、昇華性染料インクを使用して画像の印刷を行う画像形成方法およびシートカートリッジに関するものである。


【手続補正４】
【補正対象書類名】明細書
【補正対象項目名】０００４
【補正方法】変更
【補正の内容】
【０００４】
本発明は、カードのようなメディアに対し、昇華性染料インクを使用してその側面を汚すことなく、いわゆる全面印刷を適切に施すことができる画像形成方法およびシートカートリッジを提供することをその目的としている。


【手続補正５】
【補正対象書類名】明細書
【補正対象項目名】０００５
【補正方法】削除
【補正の内容】
【手続補正６】
【補正対象書類名】明細書
【補正対象項目名】０００６
【補正方法】削除
【補正の内容】
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】削除
【補正の内容】
【手続補正１６】
【補正対象書類名】明細書
【補正対象項目名】００１６
【補正方法】削除
【補正の内容】
【手続補正１７】
【補正対象書類名】明細書
【補正対象項目名】００１７
【補正方法】削除
【補正の内容】
【手続補正１８】
【補正対象書類名】明細書
【補正対象項目名】００１８
【補正方法】削除
【補正の内容】
【手続補正１９】
【補正対象書類名】明細書
【補正対象項目名】００１９
【補正方法】変更
【補正の内容】
【００１９】
【課題を解決するための手段】
本発明の画像形成方法は、メディア本体とインク受像シートとを用い、インク受像シートに昇華性染料インクを用いて画像の印刷を行う印刷工程と、印刷工程の後、インク受像シートの画像形成部分をメディア本体の表面に重ね合わせる重合工程と、重合工程の後、加熱処理してインク受像シートに保持した昇華性染料インクをメディア本体の表面に拡散・発色させて画像を形成する転写工程と、転写工程の後、メディア本体から前記インク受像シートを除去するシート除去工程とを備えた画像形成方法であって、インク受像シートは、メディア本体に対し大きく形成されていることを特徴とする。


【手続補正２０】
【補正対象書類名】明細書
【補正対象項目名】００３１
【補正方法】変更
【補正の内容】
【００３１】
また、本発明の他の画像形成方法は、メディア本体と裏面にセパレータを貼着したインク受像シートとを用い、インク受像シートに昇華性染料インクを用いて画像の印刷を行う印刷工程と、印刷工程の後、インク受像シートの表面にメディア本体を重ね合わせる重合工程と、重合工程の後、インク受像シートと共にメディア本体をセパレータから分離する分離工程と、分離工程の後、加熱処理してインク受像シートに保持した昇華性染料インクをメディア本体の表面に拡散・発色させて画像を形成する転写工程と、転写工程の後、メディア本体からインク受像シートを除去するシート除去工程とを備えた画像形成方法であって、インク受像シートは、メディア本体に対し大きく形成されていることを特徴とする。


【手続補正２１】
【補正対象書類名】明細書
【補正対象項目名】００３２
【補正方法】変更
【補正の内容】
【００３２】
この構成によれば、先ず印刷工程で行う画像の印刷を、インク受像シートに対して昇華性染料インクを使用して行うと、昇華性染料インクがインク受像シートに含浸保持される。その後、インク受像シートのセパレータを貼着した面とは反対側の面に、メディア本体を重ねて接着させ、その後、メディア本体を伴ったインク受像シートをセパレータから分離する。この状態で、加熱処理すると、この昇華性染料インクは、インク受像シートからメディア本体の表面深部にまで分子レベルで蒸発・拡散し、発色することで画像が形成される。その後、シート除去工程で、インク受像シートをメディア本体から除去することで、表面に簡易的に高耐久な画像を形成したメディア本体が作成される。
この場合、昇華性染料インクを一時的に保持可能なインク受像シートがメディ本体に比してひと回り大きいため、インク受像シートへの印刷をメディア本体の大きさに対し、幾分はみ出し気味となるようにおこなうことで、続く転写工程において、印刷画像をメディア本体の側面を汚すことなく、その表面の縁端まで適切に転写することができる。


【手続補正２２】
【補正対象書類名】明細書
【補正対象項目名】００４５
【補正方法】削除
【補正の内容】
【手続補正２３】
【補正対象書類名】明細書
【補正対象項目名】００４６
【補正方法】削除
【補正の内容】
【手続補正２４】
【補正対象書類名】明細書
【補正対象項目名】００４７
【補正方法】削除
【補正の内容】
【手続補正２５】
【補正対象書類名】明細書
【補正対象項目名】００４８
【補正方法】削除
【補正の内容】
【手続補正２６】
【補正対象書類名】明細書
【補正対象項目名】００４９
【補正方法】変更
【補正の内容】
【００４９】
また、本発明のシートカートリッジは、請求項４の画像形成方法に用いられるインク受像シートと、ロール状に巻回したインク受像シートを繰出す繰出しリールと、繰出したインク受像シートを巻き取るシート巻取りリールと、を単一のカートリッジケースに収容したことを特徴とする。


【手続補正２７】
【補正対象書類名】明細書
【補正対象項目名】００５０
【補正方法】変更
【補正の内容】
【００５０】
同様に、本発明のシートカートリッジは、請求項６または９の画像形成方法に用いられるインク受像シートと、ロール状に巻回したインク受像シートを繰出す繰出しリールと、分離工程後のセパレータを巻き取るセパレータ巻取りリールと、を単一のカートリッジケースに収容したことを特徴とする。


【手続補正２８】
【補正対象書類名】明細書
【補正対象項目名】０１３６
【補正方法】変更
【補正の内容】
【０１３６】
【発明の効果】
本発明の画像形成方法によれば、メディア本体に対しインク受像シートが大きく形成されているため、メディア本体の四周縁端まで画像を形成するべくはみ出し気味に印刷しても、メディア本体の側面にインク滴が直接着弾することがない。したがって、メディア本体の側面を汚すことなく、メディア本体の四周縁端まで確実に且つ適切に画像を形成することができる。